(57)【要約】【課題】脱着容易な軒樋カバーの固定具及びそれを用いた固定構造を提供する。【解決手段】軒樋吊具８を把持する把持部２、その上方に略ハ状に形成した傾斜部３、その頂部付近に挿通孔４を備えた軒樋カバー５の固定具１とする。また、軒樋１０の開口部１０ａを被覆する被覆面部５ａの屋内側端部を延設して固定部６を備えた軒樋カバー５を形成し、固定部６を軒先水切り７と軒樋吊具８の上面との間隙の挟持部９に差し込み、固定具１を水通孔５ｂに挿通して軒樋吊具８に把持させる軒樋カバー５の固定構造とする。【選択図】  図３
2004238906.tif 000002
【特許請求の範囲】
【請求項１】
下方二股状に軒樋吊具を把持する把持部と、把持部の上方にすぼまり傾斜部を備えた軒樋カバーの固定具。
【請求項２】
傾斜部の頂部付近に棒状部材を挿通できる挿通孔を備えた請求項１に記載の軒樋カバーの固定具。
【請求項３】
軒樋の開口部を被覆し、水通孔を有する被覆面部の屋内側端部に固定部を備えた軒樋カバーを形成し、該固定部を軒先水切りと軒樋吊具との間隙の挟持部に挟持させる軒樋カバーの固定構造。
【請求項４】
請求項１又は請求項２いずれかに記載の固定具の把持部の両足部をそれぞれ別の水通孔に挿通して軒樋吊具に把持させ軒樋カバーを固定する請求項３に記載の軒樋カバーの固定構造。
【発明の詳細な説明】
【０００１】
【発明の属する技術分野】
本発明は、軒樋に落ち葉、雪の塊等が侵入するのを防ぐ軒樋カバーを固定する固定具及びそれを用いた固定構造に関する。
【０００２】
【従来の技術】
軒樋の開口部には、軒樋内に落ち葉や雪の塊等が侵入しないように軒樋カバーが設置されていることがある。従来の軒樋カバーの固定構造としては、水通孔を有する軒樋カバーの両端を軒樋の両耳部に係合させる構造（例えば、特許文献１、２参照）や、網状の軒樋カバーの網目に断面略Ｕ字状の固定具を挿通して、軒樋吊具に把持させ固定するものがある。（例えば、特許文献３参照）
【０００３】
【特許文献１】
特開平１０−８６６１号公報
【特許文献２】
特開平１０−３７４１１号公報
【特許文献３】
特開平７−２８６４１７
【０００４】
【発明が解決しようとする課題】
近年の軒樋の支持構造は、軒樋吊具が軒樋の開口部の内側に跨り、軒樋吊具が外部から見えないようにしてある。このため、軒樋カバーの両端を軒樋の両耳部に係合させる構造では、軒樋吊具があるため取り付けることができないという問題があった。また固定具で固定するのでは、取り外す場合には、把持部を広げなければならず、取り外すのが困難であった。
【０００５】
本発明は、上記課題に鑑み、近年の軒樋吊具構造でも容易に脱着可能な軒樋カバーの固定構造、及び脱着容易な軒樋カバーの固定具、それを用いた固定構造を提供する。
【０００６】
【課題を解決するための手段】
本発明は、下方二股状に軒樋吊具を把持する把持部と、把持部の上方にすぼまり傾斜部、例えば略ハ状に形成した傾斜部を備えた軒樋カバーの固定具とし、好ましくは、傾斜部の頂部付近に棒状部材を挿通できる挿通孔を備えて軒樋カバーの固定具を構成したことを特徴とする。これにより、傾斜部を設けため把持部が開拡しやすくなり、軒樋吊具への脱着が容易となる。また挿通孔に棒状部材を挿通して持ち上げることにより容易に取り外すことができる固定具となる。
【０００７】
また、軒樋の開口部を被覆し、水通孔を有する被覆面部の屋内側端部に固定部を備えた軒樋カバーとし、該固定部を軒先水切りと軒樋吊具との間隙の挟持部に挟持させる軒樋カバーの固定構造を提供する。
これにより、軒樋カバーの固定部を、挟持部に挿入して挟持させれば固定することができ、また取り外す際も引き抜けばよいため、近年の軒樋吊具構造でも容易に脱着することができる。
さらに、上記固定具の把持部の両足部をそれぞれ別の水通孔に挿通して軒樋吊具に把持させ軒樋カバーを固定することにより、軒樋カバーの屋内側及び被覆面部を固定できるのでより強固に固定することができる固定構造となる。
【０００８】
【発明の実施の形態】
以下、本発明の一実施例を図面を用いて説明する。
図１は、本発明の固定具の一実施例を示した概略斜視図、図２（ａ）は、軒樋カバーを挟持部に取り付ける方法を示した概略斜視図、（ｂ）は、概略側断面図、図３（ａ）は、固定具を取り付ける方法を示した概略斜視図、（ｂ）は、取り付け状態を示した概略側断面図、図４は、固定具の取り外し方法の一例を示した概略斜視図である。
【０００９】
本発明の固定具１は、把持部２、傾斜部３及び挿通孔４を主な構成として備えている。
また本発明の固定構造は、軒樋カバー５の固定部６を軒先水切り７と軒樋吊具８の間隙の挟持部９に挟持させてから固定具１を用いて固定する固定構造としている。
【００１０】
把持部２は、平行に位置した線材の足部２ａの略中間部を対向するように内方に膨出させ、軒樋吊具８の両側面を把持できるように形成されている。
本実施例では、足部２ａの略中間部を膨出させ軒樋吊具８の両側面に把持させているが、これに限定するものではなく、下方を膨出させ軒樋吊具８の両下端に係止してこれを把持するようにしてもよい。
【００１１】
傾斜部３は、両足部２ａの上端を内方に折曲して上方すぼまり傾斜させ、例えば略ハ状に形成している。傾斜部３の形状は、特に限定するものではないが、把持部２が開拡しやすいような傾斜形状としてあればよい。
【００１２】
挿通孔４は、傾斜部３の頂部付近を捻って略円形状に形成している。この際、挿通孔４の下方の交差部４ａの両線材は当接するように形成するのが好ましい。
挿通孔４の大きさは、任意であるが、軒樋を取り付ける際に使用するドライバの先端の直径よりもやや大の大きさとすることが好ましい。
【００１３】
軒樋カバー５は、網材、パンチング材など任意成形材でよいが、本実施例では菱形網目状パンチング材を折曲形成したものであり、軒樋１０の開口部１０ａを被覆する被覆面部５ａの屋内側部分及び屋外側部分を軒樋吊具８の上面に沿うように上方斜めに折曲し、屋内側端部を延設して固定部６となし、屋外側は屋外側端部を軒樋１０の屋外側壁面内側に当接可能なようにしてある。
本実施例では、軒樋吊具８の上面に沿うように折曲した形状を示しているが、この形状に限らず、折曲せず平面状にしたり、上方へ湾曲させたりしてもよく、軒樋１０内に落ち葉や雪の塊等が侵入しないように被覆できればよい。
被覆面部５ａ上に設ける水通孔５ｂは、落ち葉や雪の塊等は通さず、水を軒樋１０へ通す役割をする。本実施例では網目材としているので水通孔５ｂを穿設する必要はないが、被覆面部５ａを金属や樹脂の板材とした場合は適宜箇所に水通孔５ｂを穿設すればよい。
穿設する水通孔５ｂの形状は、特に限定するものではなく、丸形状、角形状、長円形状でもよく、落ち葉や雪の塊が軒樋１０内へ侵入しないようにすればよい。
【００１４】
軒先水切り７は、長尺状の板材を軒先先端で鼻隠し１１の先端面に沿うように下方に折曲し、さらにその先端を屋内側に折返して折返し面７ａとしている。
軒樋吊具８は、家屋の壁面等に固定する平板状の固定部８ａから屋外側に伸びた杆部８ｂを形成し、杆部８ｂの屋内側及び屋外側には、軒樋１０の両耳部１０ｂ、１０ｃを係合できる耳部係合部８ｃ、８ｄが形成してある。また、軒樋吊具８の両側面は固定具１が把持できるように略中間部を窪ませている。
設置する際には、軒先水切り７の折返し面７ａが軒樋吊具８の上面との間に僅かな間隙を保つように設置し、この間隙を挟持部９とする。
【００１５】
軒樋１０は、板材を折曲形成した上方開口形状をしており、両側面上端の耳部１０ｂ、１０ｃを軒樋吊具８の耳部係合部８ｃ、８ｄに係合できるように形成し、軒樋吊具８が軒樋１０の開口部１０ａに跨って位置するようにしてある。
軒樋吊具８及び軒樋１０は、上記のように軒樋吊具８が軒樋１０の開口部１０ａを跨るように位置していればよく、形状は本実施例に限定するものではない。
【００１６】
以下、軒樋カバー５の固定方法を示す。
軒樋吊具８を所定間隔で家屋の壁面等に釘等を用いて固定し、軒樋１０の屋外側の耳部１０ｂを軒樋吊具８の耳部係合部８ｄに係合させ、屋外側の耳部１０ｂを中心として回転させるようにして屋内側の耳部１０ａを耳部係合部８ｃに係合させて軒樋１０を取り付ける。次に、軒先水切り７を鼻隠し１１の屋外側の先端に折返し面７ａを係合させ、屋根上に釘等を用いて固定する。
この際、軒先水切り７の折返し面７ａが軒樋吊具８の上面との間に僅かな間隙を保つようにして挟持部９を形成する。
【００１７】
その上で、軒樋カバー５の固定部６を、図２（ａ）、（ｂ）に示すように挟持部９に差し込み、固定部６を挟持部９に挟持させつつ、軒樋吊具８の上面に沿うように被覆面部５ａを軒樋吊具８の上面に載置する。
次に、固定具１を、図３（ａ）に示すように、両足部２ａを水通孔５ｂに挿入して軒樋吊具８に把持させる。これにより、図３（ｂ）に示すように、被覆面部５ａを固定することができる。
【００１８】
取り外す場合は、図４に示すように、固定具１の挿通孔４に長尺状の棒状部材１２（本実施例ではドライバを使用）を挿入し、上方へ持ち上げることにより、固定具１を取り外すことができる。そして、軒樋カバー５を若干持ち上げ、挟持部９から固定部６を引き抜くことにより軒樋カバー１を取り外すことができる。
【００１９】
これにより、固定部６を挟持部９に差し込み、固定具１を軒樋吊具８に把持させればよいので、近年の軒樋吊具構造でも軒樋カバー１を容易に取り付けることができ、取り外しも容易である。また軒樋カバー５の屋外側端部の固定部６を挟持部９に、被覆面部２ａを固定具１により固定してあるので、強固に固定することができる。
固定具１には、傾斜部３を設けてあるので、把持部２が開拡しやすく、従来の固定具に比べて脱着が容易であり、挿通孔４を設けたことにより、ドライバなどの長尺状の棒状部材１２を用いて容易に取り外すことができる。
上記固定構造では、固定具１を用いて固定しているが、固定具１を用いずに、固定部６を挟持部９に固定させる構造としても構わない。
【００２０】
【発明の効果】
軒樋吊具を把持する把持部と、傾斜部とを備えた軒樋カバーの固定具とすることにより、脱着容易な固定具とすることができ、また傾斜部の頂部付近に棒状部材を挿通できる挿通孔を備えることにより、棒状部材を用いて容易に取り外すことができる。また軒樋の開口部を被覆し、水通孔を有する被覆面部の屋内側端部に固定部を備えた軒樋カバーを形成し、該固定部を軒先水切りと軒樋吊具との間隙の挟持部に挟持させる軒樋カバーの固定構造とすることにより、脱着容易な構造となり、さらに固定具を用いて軒樋カバーの被覆面部を固定すればより強固に固定することができる軒樋カバーの固定構造とすることができる。
【図面の簡単な説明】
【図１】本発明の固定具の一実施例を示した概略斜視図である。
【図２】（ａ）は、軒樋カバーを挟持部に取り付ける方法を示した概略斜視図、（ｂ）は、その概略側断面図である。
【図３】（ａ）は、固定具を取り付ける方法を示した概略斜視図、（ｂ）は、その取り付け状態を示した概略側断面図である。
【図４】固定具の取り外し方法の一例を示した概略斜視図である。
【符号の説明】
１  固定具
２  把持部
２ａ  足部
３  傾斜部
４  挿通孔
４ａ  交差部
５  軒樋カバー
５ａ  被覆面部
５ｂ  水通孔
６  固定部
７  軒先水切り
８  軒樋吊具
８ａ  固定部
８ｂ  杆部
８ｃ、８ｄ  耳部係合部
９  挟持部
１０  軒樋
１０ａ  開口部
１０ｂ、１０ｃ  耳部
１１  鼻隠し
１２  棒状部材
【図１】
2004238906.tif 000003
【図２】
2004238906.tif 000004
【図３】
2004238906.tif 000005
【図４】
2004238906.tif 000006